(57)【特許請求の範囲】
【請求項１】
上面１ａに第１通気部１ｂ、側面に第２通気部１ｄをそれぞれ有する送風容器体１と、
この送風容器体１内に設けた送風機２と、
前記送風容器体１の上部に設けられ、下面に揮散用開口部３ａを有する薬剤容器体３と、
この薬剤容器体３に収容した揮散性の薬剤を含有した製剤４を備え、
前記送風容器体１の上面１ａと薬剤容器体３の下面３ｂが離隔し、両者の間に空間部５及びその空間部５を大気に連通する開放部６を形成し、
前記第１通気部１ｂと前記揮散用開口部３ａは空間部５にそれぞれ連通し、
前記製剤４の下面４ａは揮散用開口部３ａから前記空間部５に連通し、
前記送風機２を駆動することで開放部６から空気を吸い込み、空間部５、第１通気部１ｂを通り第２通気部１ｄから大気に放出されるように構成したことを特徴とする薬剤揮散器具。
【請求項２】
送風容器体１の上面１ａは外周寄りが低く、中央寄りが高くなるように斜めである請求項１記載の薬剤揮散器具。
【請求項３】
送風容器体１の上面に薬剤容器体支持部１ｃと嵌合凹部１９を設け、
薬剤容器体３に嵌合片２０を設け、
この嵌合片２０を薬剤容器体支持部１ｃに載置することで空間部５が開放部６で大気に開放し、前記嵌合片２０を嵌合凹部１９に嵌合することで前記開放部６が閉じる構成とした請求項１又は２記載の薬剤揮散器具。
【発明の詳細な説明】
【０００１】
【発明の属する技術分野】
本発明は、芳香剤、消臭剤、芳香消臭剤、除菌剤、殺虫剤、害虫忌避剤などの揮散性の薬剤を揮散させる器具であって、室内の適所に配置して自然に揮散させたり、または必要に応じて送風し強制揮散させることを兼ね備えた薬剤揮散器具に関するものである。
【０００２】
【従来の技術】
従来、芳香剤などの揮散性の薬剤を揮散させる薬剤揮散器具には、器具内に収容した液状芳香剤など薬剤を吸上げ芯を介して吸上げ揮散させる、或いは器具内に収容したゲル状芳香剤など薬剤を開放部分から揮散させる、などの自然に揮散させる自然揮散方式の薬剤揮散器具がある。
また、ファンを備えた器具内に芳香剤など薬剤を含む通気性の薬剤保持体などを配置し、ファンによる発生気流で薬剤を拡散させる、などの強制的に揮散させる強制揮散方式の薬剤揮散器具がある。
【０００３】
【発明が解決しようとする課題】
前者の自然揮散方式の薬剤揮散器具は、持続性に優れているが拡散性がないという欠点がある。
後者の強制揮散方式の薬剤揮散器具は、拡散性には優れているが高濃度の薬剤が室内に分布するという欠点がある。
前述のように、揮散方式の異なる２つの薬剤揮散器具は、相反する長短を示し、またそれぞれ相補的な長所を有しているため、自然揮散と強制揮散の両方の揮散方式を備え、持続性及び速効的拡散性を得ることができる薬剤揮散器具とすれば、二方式の薬剤揮散器具を別個に準備することなく、１つの薬剤揮散器具で各長所を使い分け使用することができ非常に便利である。
しかし、従来そのような薬剤揮散器具は提案されていない。
【０００４】
例えば、実公昭５５−５１４７１号公報に開示された自然揮散方式の薬剤揮散器具において、その内箱内にファンを設置して強制揮散させても多量の薬剤を揮散できないし、そのファンによる空気の流れが薬剤の外部への放出方向と反対となるから、多量の薬剤を効率良く大気に放出ができない。
また、自然揮散した場合にはファンが薬剤の放出の妨げとなる。
【０００５】
また、特開２０００−１８９５０７号公報に開示された強制揮散方式の薬剤揮散器具において、ファンを停止すれば自然揮散方式とすることが可能であるが、揮散した薬剤の大気への放出流路が狭く、自然揮散した薬剤が大気に放出され難い。
【０００６】
このように、従来の自然揮散方式の薬剤揮散器具にファンを取付けただけでは多量の薬剤を効率良く大気に放出できないし、従来の強制揮散方式の薬剤揮散器具のファンを停止しただけでは自然揮散した薬剤を効率良く大気に放出できない。
【０００７】
また、自然揮散と強制揮散を兼用できるようにすると、部品点数が多くなって構造複雑となってしまう。
【０００８】
本発明は、前述の課題を解決するためになされたものであり、その目的は、部品点数が少なく簡単な構造でありながら、自然揮散時に薬剤を効率良く大気に放出できると共に、強制揮散時に多量の薬剤を効率良く大気に放出でき、常時は、自然に芳香剤等の揮散性の薬剤を揮散させ長期にわたって薬剤効果を持続させると共に、室内全体或いは短時間に高い薬剤効果を得たい場合には、強制揮散に切り替えファンにより芳香剤等の揮散性の薬剤の拡散を行うことができる薬剤揮散器具を提供することである。
【０００９】
【課題を解決するための手段】
第１の発明は、上面１ａに第１通気部１ｂ、側面に第２通気部１ｄをそれぞれ有する送風容器体１と、
この送風容器体１内に設けた送風機２と、
前記送風容器体１の上部に設けられ、下面に揮散用開口部３ａを有する薬剤容器体３と、
この薬剤容器体３に収容した揮散性の薬剤を含有した製剤４を備え、
前記送風容器体１の上面１ａと薬剤容器体３の下面３ｂが離隔し、両者の間に空間部５及びその空間部５を大気に連通する開放部６を形成し、
前記第１通気部１ｂと前記揮散用開口部３ａは空間部５にそれぞれ連通し、
前記製剤４の下面４ａは揮散用開口部３ａから前記空間部５に連通し、
前記送風機２を駆動することで開放部６から空気を吸い込み、空間部５、第１通気部１ｂを通り第２通気部１ｄから大気に放出されるように構成したことを特徴とする薬剤揮散器具である。
【００１０】
第２の発明は、第１の発明において、送風容器体１の上面１ａは外周寄りが低く、中央寄りが高くなるように斜めである薬剤揮散器具である。
【００１１】
第３の発明は、第１又は第２の発明において、送風容器体１の上面に薬剤容器体支持部１ｃと嵌合凹部１９を設け、
薬剤容器体３に嵌合片２０を設け、
この嵌合片２０を薬剤容器体支持部１ｃに載置することで空間部５が開放部６で大気に開放し、前記嵌合片２０を嵌合凹部１９に嵌合することで前記開放部６が閉じる構成とした薬剤揮散器具である。
【００１２】
【作用】
第１の発明によれば、送風機２を停止した状態で製剤４の下面４ａから揮散した薬剤は、送風容器体１の上面１ａと薬剤容器体３の下面３ｂとの間に形成した空間部５及び開放部６から大気に放出され、送風機２などが邪魔にならない。
よって、自然揮散時に薬剤を効率良く大気に放出できる。
また、送風機２を駆動することで開放部６から外気が空間部５に吸込みされ、その吸込みされた外気は製剤４の下面４ａに当り、多量の薬剤が揮散する。
この揮散した多量の薬剤は空気とともに第１通気部１ｂを通って第２通気部１ｄから大気に放出される。
よって、強制揮散時に多量の薬剤を効率良く大気に放出できる。
【００１４】
また、送風容器体１と送風機２と製剤４を収容した薬剤容器体３で構成されるので、部品点数が少なく、簡単な形状である。
【００１５】
第２の発明によれば、送風機２を駆動して第１通気部１ｂから空気を吸込みした時に開放部６から吸込みされる外気は、送風容器体１の上面１ａに沿って製剤４の下面４ａに向けて流れる。
よって、吸込みされた外気のほとんどが製剤４の下面４ａに当り、より多量の薬剤が揮散するので、強制揮散時により多量の薬剤を効率良く大気に放出できる。
【００１６】
第３の発明によれば、薬剤容器体３の嵌合片２０を薬剤容器体支持部１ｃに載置することで空間５が開放部６で大気に開放するので、薬剤を大気に放出できる。
薬剤容器体３の嵌合片２０を嵌合凹部１９に嵌合することで開放部６が閉じられると共に、送風容器体１と薬剤容器体３がしっかりと連結される。よって、自然揮散した薬剤が開放部６から大気に放出されないので、薬剤揮散の途中で薬剤揮散を中止した状態において薬剤が無駄に消費されることがない。
しかも、使用開始前に運搬、保管する際に送風容器体１と薬剤容器体３が外れることがなく、取り扱いがし易い。
【００１７】
【発明の実施の形態】
図１に示すように、送風容器体１と、この送風容器体１内に設けた送風機２と、前記送風容器体１の上部に設けた薬剤容器体３と、この薬剤容器体３に収容した製剤４で薬剤揮散器具を形成している。
前記送風容器体１は、上面１ａのほぼ中央部に第１通気部１ｂを有し、上面１ａの外周縁に薬剤容器体支持部１ｃを有し、側面に第２通気部１ｄを有する。
前記送風機２はファン２ａと、そのファン２ａを駆動する電動モータ２ｂを有する。
前記薬剤容器体３は下面のほぼ全面が開口し、揮散用開口部３ａを有する。
製剤４は揮散性の薬剤を含有し、その下面４ａのほぼ全域が薬剤容器体３の揮散用開口部３ａから送風容器体１の上面１ａに相対向する。
【００１８】
薬剤揮散時には、薬剤容器体３の下面３ｂ（つまり、揮散用開口部３ａの開口周縁部分）を、図１に示すように薬剤容器体支持部１ｃに載置した薬剤揮散状態とすることで送風容器体１の上面１ａと薬剤容器体３の下面３ｂ（製剤４の下面４ａ）とが離隔し、その両者の間に空間部５及びその空間部５を大気に連通する開放部６を形成する。
この空間部５は第１通気部１ｂの全域と連通すると共に、製剤４の下面４ａの全域と連通する。
【００１９】
このようであるから、送風機２を停止した自然揮散時には、製剤４の下面４ａの全面から薬剤が揮散し、その揮散した薬剤は空間部５から開放部６を通って大気に放出される。
よって、送風機２が邪魔にならずに薬剤を効率良く大気に放出できる。
【００２０】
前述の状態で送風機２を駆動して強制揮散とし、第１通気部１ｂから空気を吸込みすると、開放部６から空間部５に外気が吸込みされ、その吸込みされた外気は製剤４の下面４ａの全面（揮散用開口部３ａに露出している部分の全面）に当り、下面４ａの全面から薬剤が多量に揮散する。この動作の場合には製剤４が非通気性、例えばゲル状の製剤４が好ましい。
この揮散した薬剤は空気とともに第１通気部１ｂに吸込みされ、第２通気部１ｄから大気に放出される。
よって、多量の薬剤が揮散し、多量の薬剤を効率良く大気に放出できる。
【００２１】
前記送風容器体１の上面１ａは外周縁が低く、内周寄りが高くなるように斜め、例えばテーパ形状であるから、開放部６から吸込まれた外気は製剤４の下面４ａに向う流れとなる。
よって、製剤４の下面４ａの全面に外気がほぼ均一に当たるので、その下面４ａの全面から薬剤が均一で多量に揮散する。
【００２６】
薬剤揮散時の途中で薬剤揮散を中止する時（薬剤揮散中止時）には、図２に示すように薬剤容器体３の下面３ｂを送風容器体１の上面１ａに接し、前述の開放部６を閉じることで、空間部５が大気に開放しないようにする。
このようにすることで、薬剤揮散中止時に揮散した薬剤は空間部５に溜まり、大気に直接放出されないので、薬剤が無駄に揮散されることが低減する。
なお、空間部５内の薬剤は第１通気部１ｂ、第２通気部１ｄから大気に放出されるが、送風機２があるために流通抵抗が大で、その大気に放出される薬剤の量は極くわずかである。
【００２７】
次に各部材の具体形状の一例を図１〜図４に基づいて説明する。
前記送風容器体１は、上面板１０と周面板１１と下面板１２と隔板１３で上部室１４ａと下部室１４ｂを有する断面円形の筒形状である。
前記上面板１０の中央部に円形の孔１５が形成され、前記第１通気部１ｂとしてある。
前記周面板１１にスリット状の開口部１６が複数形成され、この開口部１６は上部室１４ａに開口し、前記第２通気部１ｄとしてある。
前記上部室１４ａに送風機２が設けてある。
前記下部室１４ｂに電池１７が収納してあり、その電池１７で電動モータ２ｂを駆動する。この電池１７は送風容器体１の側部に収納しても良い。電動モータ２ｂは商用電源で駆動しても良い。
【００２８】
前記上面板１０の外周縁に沿って２つの立上り片１８が周方向に離隔して一体的に設けられ、薬剤容器支持部１ｃとしてある。この２つの立上り片１８の縦端面１８ａ間で嵌合凹部１９を形成すると共に、前記開放部６を形成する。
前記立上り片１８は円弧形状で、その上端面に凹部１８ｂが形成してある。
前記薬剤容器体３は下面が開口した半球形状で、その下部周縁部に一対の嵌合片２０を有する容器２１と、その容器２１の開口寄りに設けた製剤支持部材２２と、開口縁端面（下面３ｂ）に熱溶着した空気不透過性フィルム２３を有する。
【００２９】
前記一対の嵌合片２０は、前記嵌合凹部１９及び凹部１８ｂに嵌合する形状・大きさである。
前記製剤支持部材２２は複数のリング２２ａを十文字片２２ｂで連結した形状で、容器２１を下向きとした時に内部の製剤４が脱落しないように支持する。
使用する以前の運搬・保管時には容器２１を空気不透過性フィルム２３で密封し、薬剤容器体３を図２に示す薬剤揮散中止状態と同一として送風容器体１に連結する。薬剤揮散する際には図１に示すように空気不透過性フィルム２３を剥離する。
【００３０】
このようであるから、嵌合片２０を凹部１８ｂに嵌合することで薬剤容器体３を図１に示す薬剤揮散状態に安定して保持できる。
また、嵌合片２０を嵌合凹部１９に嵌合することで薬剤容器体３を薬剤揮散しない状態に安定して保持できる。
【００３１】
次に、本発明の第２の実施の形態を図５〜図８に基づいて説明する。なお、第１の実施の形態と同一部材は符号を同一として説明を省略し、異なる構成を詳細に説明する。
送風容器体１の上面板１０における外周寄りに複数の設置台３０を放射状に設けて薬剤容器体支持部１ｃとしてある。隣接する設置台３０間が開放部６である。
この設置台３０は低い内周寄り部３０ａと高い外周寄り部３０ｂで段部３０ｃを有するＬ字形状である。
薬剤容器体３の容器２１の全周にリング状の嵌合片２０が一体的に設けてあり、この嵌合片２０が前記複数の設置台３０の低い内周寄り部３０ａに接すると共に、段部３０ｃに嵌合することで安定して取付けられる。
容器２１の上部に小孔３１が形成してあると共に、その小孔３１に栓３２が嵌め込んである。
製剤支持部材２２は図８に示すように網である。
【００３２】
薬剤揮散時には、図５に示すように空気不透過性フィルム２３を剥離すると共に、栓３２を外して小孔３１を開放する。小孔３１が開放することで製剤４が容器２１の内面から離脱して製剤支持部材２２に接し、製剤４は製剤支持部材２２を介して設置台３０に載置すると共に、薬剤容器体３の下面３ｂが設置台３０に接し、その下面３ｂと送風容器体１の上面１ａとの間に形成した空間５は開放部６で大気に開放する。
なお、使用開始前には図６に示すように空気不透過性フィルム２３で容器２１を密封すると共に、小孔３１を栓３２で閉じる。
【００３３】
前述のように、薬剤揮散時に小孔３１が開放することで容器２１の内面と製剤４の上面との間に空隙が形成される。
よって、非通気性の製剤４で自然揮散する場合には、製剤４の下面４ａだけではなく全面から薬剤が揮散し、開放部６から大気に放出される。
また、製剤４が薬剤の揮散につれて小さくなるタイプの場合に、その製剤４は製剤支持部材２２に接した状態で同一形状を保ちながら縮小する。
したがって、自然揮散時でも強制揮散時でも製剤４が無くなるまで薬剤を一定に揮散することができる。
また、使用中止時には小孔３１が栓３２で閉じられるので、薬剤が無駄に揮散して消費されることがない。
前記小孔３１は空気が通過する大きさであれば良く、極小の孔で充分であり、この場合は、シールを貼り塞ぐこともできる。また、薬剤の流出は殆どなくあえて小孔３１を塞ぐ必要もない。
【００３４】
次に、本発明の第３の実施の形態を図９〜図１２に基づき説明する。なお、第１・第２の実施の形態と同一部材は符号を同一として説明を省略し、異なる構成を詳細に説明する。
送風容器体１の上面板１０の外周縁と連続して立上り壁３３を一体的に設け、その上面板１０の外周寄りに挿入凹部３４を周方向に間隔を置いて複数形成してある。この挿入凹部３４は円弧形状であるが、直線形状などでも良い。
前記立上り壁３３と挿入凹部３４で薬剤容器体支持部１ｃを形成する。
【００３５】
薬剤容器体３の容器２１の下部に複数の舌片３５を周方向に間隔を置いて一体的に設けてあり、隣接する舌片３５間に下向き凹部３６を形成し、その下向き凹部３６が前記開放部６を形成する。
この舌片３５は円弧形状で、前記挿入凹部３４に嵌合する。この舌片３５は挿入凹部３４が直線形状であれば直線形状とする。つまり、舌片３５は挿入凹部３４に嵌合する形状・大きさであれば良い。
【００３６】
製剤４は多数の粒状物４ｂから成る粒剤で、製剤支持部材２２は複数のリング２２ａを十文字片２２ｂで連結し、１つの粒状物４ｂよりも小さな幅のスリット状開口部を複数有する形状である。
【００３７】
前記舌片３５の長さは立上り壁３３の長さよりも長く、図９に示すように舌片３５を挿入凹部３４に嵌合して容器２１を送風容器体１に取付けると、下向き凹部３６が立上り壁３３よりも上方となって前記空間部５を大気に開放する開放部６を形成する。
また、使用開始前には容器２１の内周面下部に図１０に示すように、空気不透過性フィルム２３を熱溶着して容器２１を密封する。
【００３８】
前記製剤支持部材２２をねじ形状とし、容器２１の内面上部に下向きに設けても良い。この場合にはゲル状の製剤４を製剤支持部材２２にねじ込むように嵌合することで容器２１に取付ける。
このようにすることで、製剤４の下面４ａの全面が開放し、外気が下面４ａの全面に当たるので、より多量の薬剤を揮散できる。
【００３９】
前記各実施の形態において、送風容器体１、薬剤容器体３の形状は、特に限定されることなく、円形・四角形・多角形・菱形など自由に設計できる。ただし、送風容器体１は設置状態が安定した形状とする必要がある。
また、送風容器体１、薬剤容器体３の材料としては、合成樹脂、陶磁器、金属、紙、木材など公知のものが使用できる。
【００４０】
本発明に用いる揮散性の薬剤としては、従来から害虫駆除剤（殺虫剤、害虫忌避剤、害虫成長阻害剤など）、芳香・消臭剤（香料、ハーブ、消臭剤など）、防菌・防黴剤（殺菌剤、除菌剤、防カビ材など）等の目的で使用されている自然下で揮散する各種の薬剤を、目的に応じて単独で、または２種以上組合わせて使用できる。
例えば、殺虫を目的として使用する場合、ピレスロイド系殺虫剤、カーバメイト系殺虫剤、有機リン系殺虫剤等が挙げられ、一般に安全性が高いことからピレスロイド系殺虫剤が好適に用いられ、エンペントリン；１−エチニル−２−メチル−２−ペンテニル  ｄ１−シス／トランス−３−（２，２−ジメチルビニル）−２，２−ジメチル−１−シクロプロパンカルボキシラート、テラレスリン；ｄ１−３−アリル−２−メチル−４−オキソ−２−シクロペンテニル−ｄ１−シス／トランス−２，２，３，３−テトラメチル−シクロプロパンカルボキシラート、トランスフルスリン；ｄ−トランス−２，３，５，６−テトラフルオロベンジル−３−（２，２−ジクロロビニル）−２，２−ジメチル−１−シクロプロパンカルボキシラート、フラメトリン；５−プロパギル−２−フリルメチル  ｄ−シス／トランス−クリサンテマート、１−エチニル−２−メチル−２−ペンテニルシス／トランス−２，２，３，３−テトラメチル−１−シクロプロパンカルボキシラート、２，３，５，６−テトラフルオロ−４−メトキシメチルベンジル−３−（１−プロペニル）−２，２−ジメチルシクロプロパンカルボキシラート等が例示できる。また、害虫忌避剤として、Ｎ，Ｎ−ジエチル−ｍ−トルアミド、ジメチルフタレート、２−エチル−１，３−ヘキサンジオール、ｐ−メンテン−３、８−ジオール、カンファー等、害虫成長阻害剤として、メトプレン等が例示できる。
芳香・消臭剤としては、香料として、天然及び人工の各種香料を使用でき、例えば、動物性、植物性の天然香料、あるいは炭化水素、アルコール、フェノール、アルデヒド、ケトン、ラクトン、オキシド、エステル類などの人工香料等、消臭剤として、酢酸ベンジル、アミルシンナミックアルデヒド、シトラール、安息香酸メチル、安息香酸エチル、ボルニルアセテート、フェニル酢酸エチル等、又はハーブ、楠など乾燥植物等が例示できる。
防菌・防黴材としては、ｏ−フェニルフェノール、イソプロピルメチルフェノール、２−クロロ−４−フェニルフェノール、チモール、α−プロモ−シンナミックアルデヒド等が例示できる。
さらに、防虫又は除菌や消臭等の効能を示すユーカリ油、レモングラス油、レモン油、ヒノキチオール、シトロネラ油、ハッカ油、オレンジフラワー油、ゲラニウム油、スペアミント油、キンモクセイ油、シナモンリーフ油等の植物精油、又はそれらの抽出有効成分も例示できる。
【００４１】
本発明に用いる製剤は、形状として、多量の揮散性の薬剤を含有し、取扱いが簡便であればよく、例えば非通気性の製剤としてはゲル状、ジェル状、マット状などが例示され、通気性の製剤としては粒状、粉状、綿状、繊維状などが例示される。
製剤の材料としては、自然下で含有された揮散性薬剤を放出するものであればよく、例えば多孔質無機物質および有機物質、パルプ材、ゲル化材、合成樹脂などが例示される。
送風機のファンとしては、シロッコファンが好ましいが、軸流ファン、プロペラファンを用いることもできる。
【００４２】
【発明の効果】
請求項１に係る発明によれば、送風機２を停止した状態で製剤４の下面４ａから揮散した薬剤は、送風容器体１の上面１ａと薬剤容器体３の下面３ｂとの間に形成した空間部５及び開放部６から大気に放出され、送風機２などが邪魔にならない。
よって、自然揮散時に薬剤を効率良く大気に放出できる。
また、送風機２を駆動することで開放部６から外気が空間部５に吸込みされ、その吸込みされた外気は製剤４の下面４ａに当り、多量の薬剤が揮散する。
この揮散した多量の薬剤は空気とともに第１通気部１ｂを通って第２通気部１ｄから大気に放出される。
よって、強制揮散時に多量の薬剤を効率良く大気に放出できる。
【００４４】
また、送風容器体１と送風機２と製剤４を収容した薬剤容器体３で構成されるので、部品点数が少なく、簡単な形状である。
【００４５】
請求項２に係る発明によれば、送風機２を駆動して第１通気部１ｂから空気を吸込みした時に開放部６から吸込みされる外気は、送風容器体１の上面１ａに沿って製剤４の下面４ａに向けて流れる。
よって、吸込みされた外気のほとんどが製剤４の下面４ａに当り、より多量の薬剤が揮散するので、強制揮散時により多量の薬剤を効率良く大気に放出できる。
【００４６】
請求項３に係る発明によれば、薬剤容器体３の嵌合片２０を薬剤容器体支持部１ｃに載置することで空間５が開放部６で大気に開放するので、薬剤を大気に放出できる。
薬剤容器体３の嵌合片２０を嵌合凹部１９に嵌合することで開放部６が閉じられると共に、送風容器体１と薬剤容器体３がしっかりと連結される。よって、自然揮散した薬剤が開放部６から大気に放出されないので、薬剤揮散の途中で薬剤揮散を中止した状態において薬剤が無駄に消費されることがない。
しかも、使用開始前に運搬、保管する際に送風容器体１と薬剤容器体３が外れることがなく、取り扱いがし易い。
【図面の簡単な説明】
【図１】本発明の第１の実施の形態を示す薬剤揮散状態の断面図である。
【図２】薬剤揮散しない状態の断面図である。
【図３】分解斜視図である。
【図４】薬剤容器体の底面図である。
【図５】本発明の第２の実施の形態を示す薬剤揮散状態の断面図である。
【図６】使用する前の状態の断面図である。
【図７】分解斜視図である。
【図８】薬剤容器体の底面図である。
【図９】本発明の第３の実施の形態を示す薬剤揮散状態の断面図である。
【図１０】使用する前の状態の断面図である。
【図１１】分解斜視図である。
【図１２】薬剤容器体の底面図である。
【符号の説明】
１…送風容器体、１ａ…上面、１ｂ…第１通気部、１ｃ…薬剤容器体支持部、１ｄ…第２通気部、２…送風機、３…薬剤容器体、４…製剤、４ａ…下面、５…空間部、６…開放部、１８…立上り片、１９…嵌合凹部、２０…嵌合片、２１…容器、２２…製剤支持部材、３０…設置台、３１…小孔、３２…栓、３３…立上り壁、３４…挿入凹部、３５…舌片、３６…下向き凹部。
【図１】
0003741034.tif 000002
【図２】
0003741034.tif 000003
【図３】
0003741034.tif 000004
【図４】
0003741034.tif 000005
【図５】
0003741034.tif 000006
【図６】
0003741034.tif 000007
【図７】
0003741034.tif 000008
【図８】
0003741034.tif 000009
【図９】
0003741034.tif 000010
【図１０】
0003741034.tif 000011
【図１１】
0003741034.tif 000012
【図１２】
0003741034.tif 000013